(57)【特許請求の範囲】
【請求項１】
受信システムであって、
第１マルチプレクサの入力と第２マルチプレクサの出力との間にある複数の経路の一以上を選択的にアクティブにするべく構成された制御器と、
各一つの増幅器が前記複数の経路の一つの対応経路に沿って設けられ、かつ、前記増幅器において受信した信号を増幅するべく構成された、前記制御器によって制御可能な複数の増幅器と、
第１の複数帯域通過フィルタと
を含み、
前記第１の複数帯域通過フィルタの各一つの帯域通過フィルタは、前記複数の経路の一つの対応経路に沿って前記複数の増幅器の一つの対応増幅器の出力に設けられ、かつ、前記帯域通過フィルタにおいて受信した信号を各周波数帯域へとフィルタリングするべく構成され、
前記第２マルチプレクサは、前記複数の経路の２以上からの信号を結合するべく構成された結合器を含む受信システム。
【請求項２】
第２の複数帯域通過フィルタをさらに含み、
前記第２の複数帯域通過フィルタの各一つの帯域通過フィルタは、前記複数の経路の一つの対応経路に沿って前記複数の増幅器の一つの対応増幅器の入力に設けられ、かつ、前記帯域通過フィルタにおいて受信した信号を各周波数帯域へとフィルタリングするべく構成される請求項１の受信システム。
【請求項３】
第１経路に沿って設けられた前記第１の複数帯域通過フィルタと、前記第１経路に沿って設けられた前記第２の複数帯域通過フィルタとが相補的である請求項２の受信システム。
【請求項４】
前記第１経路に沿って設けられた前記第１の複数帯域通過フィルタの一つが、第１周波数帯域を下回る周波数を、前記第１周波数帯域を上回る周波数よりも減衰させ、かつ、前記第１経路に沿って設けられた前記第１の複数帯域通過フィルタの他の一つが、前記第１周波数帯域を上回る周波数を、前記第１周波数帯域を下回る周波数よりも減衰させる請求項３の受信システム。
【請求項５】
前記第２マルチプレクサの出力に結合され、かつ、下流側マルチプレクサを含む下流側モジュールに結合された送信線をさらに含む請求項１の受信システム。
【請求項６】
前記下流側モジュールは下流側帯域通過フィルタを含まない請求項５の受信システム。
【請求項７】
前記下流側マルチプレクサはサンプルスイッチを含む請求項６の受信システム。
【請求項８】
前記下流側モジュールは一以上の下流側増幅器を含む請求項５の受信システム。
【請求項９】
前記一以上の下流側増幅器の数は前記複数の増幅器の数よりも少ない請求項７の受信システム。
【請求項１０】
前記複数の増幅器の少なくとも一つは低雑音増幅器を含む請求項１の受信システム。
【請求項１１】
前記第１マルチプレクサの入力及び前記第２マルチプレクサの出力の一以上に設けられた一以上のチューニング可能整合回路をさらに含む請求項１の受信システム。
【請求項１２】
前記制御器は、前記制御器が受信した帯域選択信号に基づいて、前記複数の経路の前記一以上を選択的にアクティブにするべく構成される請求項１の受信システム。
【請求項１３】
前記制御器は、分割器制御信号を前記第１マルチプレクサにかつ結合器制御信号を前記第２マルチプレクサに送信することによって、前記複数の経路の前記一以上を選択的にアクティブにするべく構成される請求項１の受信システム。
【請求項１４】
無線周波数モジュールであって、
複数の部品を受容するべく構成されたパッケージング基板と、
前記パッケージング基板に実装された受信システムと
を含み、
前記受信システムは、
第１マルチプレクサの入力と第２マルチプレクサの出力との間にある複数の経路の一以上を選択的にアクティブにするべく構成された制御器と、
各一つの増幅器が前記複数の経路の一つの対応経路に沿って設けられ、かつ、前記増幅器において受信した信号を増幅させるべく構成された、前記制御器によって制御可能な複数の増幅器と、
第１の複数帯域通過フィルタと
を含み、
前記第１の複数帯域通過フィルタの各一つの帯域通過フィルタは、前記複数の経路の一つの対応経路に沿って前記複数の増幅器の一つの対応増幅器の出力に設けられ、かつ、前記帯域通過フィルタにおいて受信した信号を各周波数帯域へとフィルタリングするべく構成され、
前記第２マルチプレクサは、前記複数の経路の２以上からの信号を結合するべく構成された結合器を含む無線周波数モジュール。
【請求項１５】
前記無線周波数モジュールはダイバーシティ受信器フロントエンドモジュールである請求項１４の無線周波数モジュール。
【請求項１６】
前記受信システムはさらに第２の複数帯域通過フィルタを含み、
前記第２の複数帯域通過フィルタの各一つの帯域通過フィルタは、前記複数の経路の一つの対応経路に沿って前記複数の増幅器の一つの対応増幅器の入力に設けられ、かつ、前記帯域通過フィルタにおいて受信した信号を各周波数帯域へとフィルタリングするべく構成される請求項１４の無線周波数モジュール。
【請求項１７】
前記複数の経路は、オフモジュール帯域通過フィルタと前記複数の増幅器の一つとを含むオフモジュール経路を含む請求項１４の無線周波数モジュール。
【請求項１８】
無線デバイスであって、
第１無線周波数信号を受信するべく構成された第１アンテナと、
前記第１アンテナと通信する第１フロントエンドモジュールと、
通信モジュールと
を含み、
前記第１フロントエンドモジュールは、複数の部品を受容するべく構成されたパッケージング基板を含み、
前記第１フロントエンドモジュールはさらに、前記パッケージング基板に実装された受信システムを含み、
前記受信システムは、
第１マルチプレクサの入力と第２マルチプレクサの出力との間にある複数の経路の一以上を選択的にアクティブにするべく構成された制御器と、
各一つの増幅器が前記複数の経路の一つの対応経路に沿って設けられ、かつ、前記増幅器において受信した信号を増幅させるべく構成された、前記制御器によって制御可能な複数の増幅器と、
第１の複数帯域通過フィルタと
を含み、
前記第１の複数帯域通過フィルタの各一つの帯域通過フィルタは、前記複数の経路の一つの対応経路に沿って前記複数の増幅器の一つの対応増幅器の出力に設けられ、かつ、前記帯域通過フィルタにおいて受信した信号を各周波数帯域へとフィルタリングするべく構成され、
前記第２マルチプレクサは、前記複数の経路の２以上からの信号を結合するべく構成された結合器を含み、
前記通信モジュールは、前記出力からの前記第１無線周波数信号の処理済みバージョンを送信線を介して受信しかつ前記第１無線周波数信号の処理済みバージョンに基づいてデータビットを発生させるべく構成される無線デバイス。
【請求項１９】
第２無線周波数信号を受信するべく構成された第２アンテナと、
前記第２アンテナと通信する第２フロントエンドモジュールと
を含み、
前記通信モジュールは、前記第２フロントエンドモジュールの出力から前記第２無線周波数信号の処理済みバージョンを受信しかつ前記第２無線周波数信号の処理済みバージョンに基づいて前記データビットを発生させるべく構成される請求項１８の無線デバイス。
【請求項２０】
前記受信システムはさらに第２の複数帯域通過フィルタを含み、
前記第２の複数帯域通過フィルタの各一つの帯域通過フィルタは、前記複数の経路の一つの対応経路に沿って前記複数の増幅器の一つの対応増幅器の入力に設けられ、かつ、前記帯域通過フィルタにおいて受信した信号を各周波数帯域へとフィルタリングするべく構成される請求項１８の無線デバイス。
【請求項２１】
前記制御器は、前記第１マルチプレクサの入力が受信した入力信号に基づいて増幅器制御信号を発生させる請求項１の受信システム。
【請求項２２】
前記増幅器制御信号は、前記入力信号のサービス品質メトリックに基づく請求項２１の受信システム。
【請求項２３】
前記制御器は、前記第１マルチプレクサの入力が受信した入力信号に基づいて増幅器制御信号を発生させる請求項１４の無線周波数モジュール。
【請求項２４】
前記増幅器制御信号は、前記入力信号のサービス品質メトリックに基づく請求項２３の無線周波数モジュール。
【請求項２５】
前記制御器は、前記第１マルチプレクサの入力が受信した入力信号に基づいて増幅器制御信号を発生させる請求項１８の無線デバイス。
【請求項２６】
前記増幅器制御信号は、前記入力信号のサービス品質メトリックに基づく請求項２５の無線デバイス。
【発明の詳細な説明】
【技術分野】
【０００１】
本開示は一般に、一以上のダイバーシティ受信アンテナを有する無線通信システムに関する。
【０００２】
関連出願の相互参照
本願は、２０１４年１０月３１日出願の「ダイバーシティ受信器フロントエンドシステム」との名称の米国仮出願第６２／０７３，０４３号、２０１４年１１月１０日出願の「キャリアアグリゲーションをサポートするＬＮＡ前段及び後段フィルタを有するダイバーシティ受信器アーキテクチャ」との名称の米国仮出願第６２／０７７，８９４号、２０１５年６月１日出願の「可変利得増幅器を備えたダイバーシティフロントエンドシステム」との名称の米国出願第１４／７２７，７３９号、及び２０１５年６月１０日出願の「増幅器後段フィルタを備えたダイバーシティ受信器フロントエンドシステム」との名称の米国出願第１４／７３５，４８２号の優先権を主張する。各開示はその全体が、ここに明示的に参照として組み入れられる。
【背景技術】
【０００３】
無線通信のアプリケーションにおいて、サイズ、コスト及び性能は、所与の製品にとって重要となり得る因子の例である。例えば、性能を向上させるべく、ダイバーシティ受信アンテナ及び関連回路のような無線部品が一般的となっている。
【０００４】
多くの無線周波数（ＲＦ）アプリケーションにおいて、ダイバーシティ受信アンテナは、一次アンテナから物理的に遠くに配置される。双方のアンテナが一度に使用される場合に送受信器は、双方のアンテナからの信号を、データスループットを増加させるべく処理することができる。
【発明の概要】
【０００５】
いくつかの実装によれば、本開示は、第１マルチプレクサの入力と第２マルチプレクサの出力との間にある複数の経路の一以上を選択的にアクティブにするべく構成された制御器を含む受信システムに関する。受信システムは複数の増幅器を含み得る。複数の増幅器の各一つは、当該複数の経路の一つの対応経路に沿って設けることができ、かつ、増幅器において受信した信号を増幅するべく構成することができる。受信システムは、第１の複数帯域通過フィルタを含み得る。第１の複数帯域通過フィルタの各一つは、複数の経路の一つの対応経路に沿って複数の増幅器の一つの対応増幅器の出力に設けることができ、かつ、当該帯域通過フィルタにおいて受信した信号を各周波数帯域へとフィルタリングするべく構成することができる。
【０００６】
いくつかの実施形態において、受信システムはさらに、第２の複数帯域通過フィルタを含み得る。第２の複数帯域通過フィルタの各一つは、複数の経路の一つの対応経路に沿って複数の増幅器の一つの対応増幅器の入力に設けることができ、かつ、当該帯域通過フィルタにおいて受信した信号を各周波数帯域へとフィルタリングするべく構成することができる。
【０００７】
いくつかの実施形態において、第１経路に沿って設けられた第１の複数帯域通過フィルタの一つと、第１経路に沿って設けられた第２の複数帯域通過フィルタの一つとは相補的とすることができる。いくつかの実施形態において、第１経路に沿って設けられた帯域通過フィルタの一つは、各周波数帯域を上回る周波数よりも各周波数帯域を下回る周波数の方を減衰することができ、かつ、第１経路に沿って設けられた帯域通過フィルタの他の一つは、各周波数帯域を下回る周波数よりも各周波数帯域を上回る周波数の方を減衰することができる。
【０００８】
いくつかの実施形態において、受信システムはさらに、第２マルチプレクサの出力に結合され、かつ、下流側マルチプレクサを含む下流側モジュールに結合された送信線を含み得る。いくつかの実施形態において、下流側モジュールは下流側帯域通過フィルタを含まない。いくつかの実施形態において、下流側マルチプレクサはサンプルスイッチを含む。いくつかの実施形態において、下流側モジュールは一以上の下流側増幅器を含み得る。いくつかの実施形態において、一以上の下流側増幅器の数は、複数の増幅器の数よりも少なくすることができる。
【０００９】
いくつかの実施形態において、複数の増幅器の少なくとも一つは低雑音増幅器を含み得る。
【００１０】
いくつかの実施形態において、受信システムはさらに、第１マルチプレクサの入力と第２マルチプレクサの出力との一以上に設けられた一以上のチューニング可能整合回路を含み得る。
【００１１】
いくつかの実施形態において、制御器は、当該制御器が受信した帯域選択信号に基づいて、複数の経路の一以上を選択的にアクティブにするべく構成することができる。いくつかの実施形態において、制御器は、分割器制御信号を第１マルチプレクサにかつ結合器制御信号を第２マルチプレクサに送信することによって、複数の経路の一以上を選択的にアクティブにするべく構成することができる。
【００１２】
いくつかの実装において、本開示は、複数の部品を受容するべく構成されたパッケージング基板を含む無線周波数（ＲＦ）モジュールに関する。ＲＦモジュールはさらに、パッケージング基板に実装された受信システムを含む。受信システムは、第１マルチプレクサの入力と第２マルチプレクサの出力との間にある複数の経路の一以上を選択的にアクティブにするべく構成された制御器を含む。受信システムはさらに、複数の増幅器を含む。複数の増幅器の各一つは、当該複数の経路の一つの対応経路に沿って設けることができ、かつ、増幅器において受信した信号を増幅するべく構成することができる。受信システムはさらに、第１の複数帯域通過フィルタを含む。第１の複数帯域通過フィルタの各一つは、複数の経路の一つの対応経路に沿って複数の増幅器の一つの対応増幅器の出力に設けることができ、かつ、当該帯域通過フィルタにおいて受信した信号を各周波数帯域へとフィルタリングするべく構成することができる。
【００１３】
いくつかの実施形態において、ＲＦモジュールは、ダイバーシティ受信器フロントエンドモジュール（ＦＥＭ）とすることができる。
【００１４】
いくつかの実施形態において、受信システムはさらに、第２の複数帯域通過フィルタを含み得る。第２の複数帯域通過フィルタの各一つは、複数の経路の一つの対応経路に沿って複数の増幅器の一つの対応増幅器の入力に設けることができ、かつ、当該帯域通過フィルタにおいて受信した信号を各周波数帯域へとフィルタリングするべく構成することができる。
【００１５】
いくつかの実施形態において、複数の経路は、オフモジュール帯域通過フィルタと複数の増幅器の一つとを含むオフモジュール経路を含み得る。
【００１６】
いくつかの教示によれば、本開示は、第１無線周波数（ＲＦ）信号を受信するべく構成された第１アンテナを含む無線デバイスに関する。無線デバイスはさらに、第１アンテナと通信する第１フロントエンドモジュール（ＦＥＭ）を含む。第１ＦＥＭは、複数の部品を受容するべく構成されたパッケージング基板を含む。第１ＦＥＭはさらに、パッケージング基板に実装された受信システムを含む。受信システムは、第１マルチプレクサの入力と第２マルチプレクサの出力との間にある複数の経路の一以上を選択的にアクティブにするべく構成された制御器を含む。受信システムはさらに、複数の増幅器を含む。複数の増幅器の各一つは、当該複数の経路の一つの対応経路に沿って設けることができ、かつ、増幅器において受信した信号を増幅するべく構成することができる。受信システムはさらに、第１の複数帯域通過フィルタを含む。第１の複数帯域通過フィルタの各一つは、複数の経路の一つの対応経路に沿って複数の増幅器の一つの対応増幅器の出力に設けることができ、かつ、当該帯域通過フィルタにおいて受信した信号を各周波数帯域へとフィルタリングするべく構成することができる。無線デバイスはさらに、出力からの第１ＲＦ信号の処理済みバージョンを送信線を介して受信しかつ当該第１ＲＦ信号の処理済みバージョンに基づいてデータビットを発生させるべく構成された通信モジュールを含む。
【００１７】
いくつかの実施形態において、無線デバイスはさらに、第２無線周波数（ＲＦ）信号を受信するべく構成された第２アンテナと、当該第２アンテナと通信する第２ＦＥＭとを含む。通信モジュールは、第２ＦＥＭの出力から第２ＲＦ信号の処理済みバージョンを受信し、かつ、当該第２ＲＦ信号の処理済みバージョンに基づいてデータビットを発生させるべく構成することができる。
【００１８】
いくつかの実施形態において、受信システムはさらに、第２の複数帯域通過フィルタを含む。第２の複数帯域通過フィルタの各一つは、複数の経路の一つの対応経路に沿って複数の増幅器の一つの対応増幅器の入力に設けることができ、かつ、当該帯域通過フィルタにおいて受信した信号を各周波数帯域へとフィルタリングするべく構成することができる。
【図面の簡単な説明】
【００１９】
【図１】一次アンテナ及びダイバーシティアンテナに結合された通信モジュールを有する無線デバイスを示す。
【図２】ＤＲｘフロントエンドモジュール（ＦＥＭ）を含むダイバーシティ受信器（ＤＲｘ）構成を示す。
【図３】いくつかの実施形態において、ダイバーシティ受信器（ＤＲｘ）構成が、多重周波数帯域に対応する多重経路を備えたＤＲｘモジュールを含み得ることを示す。
【図４Ａ】いくつかの実施形態において、ダイバーシティ受信器構成が、複数の増幅器の出力に設けられた複数の帯域通過フィルタを有するダイバーシティ受信器（ＤＲｘ）モジュールを含み得ることを示す。
【図４Ｂ】いくつかの実施形態において、ダイバーシティ受信器構成が、ダイバーシティ受信器（ＤＲｘ）モジュールよりも少ない増幅器を備えたダイバーシティＲＦモジュールを含み得ることを示す。
【図５】いくつかの実施形態において、ダイバーシティ受信器構成が、オフモジュールフィルタに結合されたＤＲｘモジュールを含み得ることを示す。
【図６】いくつかの実施形態において、ダイバーシティ受信器構成が、チューニング可能整合回路を備えたＤＲｘモジュールを含み得ることを示す。
【図７】ここに記載される一以上の特徴を有するモジュールを描く。
【図８】ここに記載される一以上の特徴を有する無線デバイスを描く。
【発明を実施するための形態】
【００２０】
ここに与えられる見出しは、たとえあったとしても、便宜のみのためであって、必ずしも請求項に係る発明の範囲又は意味に影響するわけではない。
【００２１】
図１は、一次アンテナ１３０及びダイバーシティアンテナ１４０に結合された通信モジュール１１０を有する無線デバイス１００を示す。通信モジュール１１０（及びその構成部品）は、制御器１２０により制御することができる。通信モジュール１１０は、アナログ無線周波数（ＲＦ）信号及びデジタルデータ信号間の変換をするべく構成される送受信器１１２を含む。それを目的として、送受信器１１２は、デジタル／アナログ変換器、アナログ／デジタル変換器、ベース帯域アナログ信号を搬送周波数に変調若しくは搬送周波数から復調する局所発振器、デジタルサンプル及びデータビット（例えば音声又は他のタイプのデータ）間の変換をするベース帯域プロセッサ、又は他の部品を含み得る。
【００２２】
通信モジュール１１０はさらに、一次アンテナ１３０及び送受信器１１２間に結合されたＲＦモジュール１１４を含む。ＲＦモジュール１１４は、ケーブル損失に起因する減衰を低減するべく一次アンテナ１３０に物理的に近いので、ＲＦモジュール１１４は、フロントエンドモジュール（ＦＥＭ）と称することができる。ＲＦモジュール１１４は、送受信器１１２の一次アンテナ１３０から受信したアナログ信号、又は送受信器１１２から受信して一次アンテナ１３０を介して送信するアナログ信号に処理を行うことができる。それを目的として、ＲＦモジュール１１４は、フィルタ、電力増幅器、帯域選択スイッチ、整合回路及び他の部品を含み得る。同様に、通信モジュール１１０は、同様の処理を行う送受信器１１２とダイバーシティアンテナ１４０との間に結合されたダイバーシティＲＦモジュール１１６を含む。
【００２３】
信号が無線デバイスに送信されると当該信号は、一次アンテナ１３０及びダイバーシティアンテナ１４０の双方において受信され得る。一次アンテナ１３０及びダイバーシティアンテナ１４０は物理的に離間しているので、一次アンテナ１３０及びダイバーシティアンテナ１４０において受信される信号は異なる特性を備える。例えば、一実施形態において、一次アンテナ１３０及びダイバーシティアンテナ１４０は、異なる減衰、雑音、周波数応答又は位相シフトを備えた信号を受信し得る。送受信器１１２は、異なる特性を備えた双方の信号を使用して、当該信号に対応するデータビットを決定することができる。いくつかの実装において、送受信器１１２は、当該特性に基づいて一次アンテナ１３０及びダイバーシティアンテナ１４０間から、信号対雑音比が最高のアンテナを選択するというように、選択される。いくつかの実装において、送受信器１１２は、一次アンテナ１３０からの信号とダイバーシティアンテナ１４０からの信号とを結合して当該結合信号の信号対雑音比を増加させる。いくつかの実装において、送受信器１１２は、多重入力／多重出力（ＭＩＭＯ）通信を行うべく信号を処理する。
【００２４】
ダイバーシティアンテナ１４０は一次アンテナ１３０から物理的に離間しているので、ダイバーシティアンテナ１４０は、ケーブル又はプリント回路基板（ＰＣＢ）トレースのような送信線１３５を介して通信モジュール１１０に結合される。いくつかの実装において、送信線１３５は損失性であり、ダイバーシティアンテナ１４０において受信された信号を減衰させ、その後、当該信号は通信モジュール１１０に到達する。すなわち、いくつかの実装において、以下に記載されるように、ダイバーシティアンテナ１４０において受信された信号に利得が適用される。利得（又は他の、フィルタリングのようなアナログ処理）は、ダイバーシティ受信器モジュールによって適用することができる。かかるダイバーシティ受信器モジュールは、ダイバーシティアンテナ１４０の物理的近くに配置されるので、ダイバーシティ受信器フロントエンドモジュールと称することができる。これとは対照的に、ダイバーシティＲＦモジュール１１６は、送信線１３５を介してダイバーシティアンテナ１４０に結合されており、バックエンドモジュール又は下流側モジュールと称することができる。
【００２５】
図２は、ＤＲｘフロントエンドモジュール（ＦＥＭ）２１０を含むダイバーシティ受信器（ＤＲｘ）構成２００を示す。ＤＲｘ構成２００は、ダイバーシティ信号を受信して当該ダイバーシティ信号をＤＲｘＦＥＭ２１０に与えるべく構成されたダイバーシティアンテナ１４０を含む。ＤＲｘＦＥＭ２１０は、ダイバーシティアンテナ１４０から受信したダイバーシティ信号の処理を行うべく構成される。例えば、ＤＲｘＦＥＭ２１０は、ダイバーシティ信号を、例えば制御器１２０が指示するような一以上のアクティブ周波数帯域へとフィルタリングするべく構成することができる。他例では、ＤＲｘＦＥＭ２１０は、ダイバーシティ信号を増幅するべく構成することができる。それを目的として、ＤＲｘＦＥＭ  ２１０は、フィルタ、低雑音増幅器、帯域選択スイッチ、整合回路及び他の部品を含み得る。
【００２６】
ＤＲｘＦＥＭ２１０は、処理されたダイバーシティ信号を、送信線１３５を介してダイバーシティＲＦ（Ｄ−ＲＦ）モジュール１１６へと送信する。ダイバーシティＲＦ（Ｄ−ＲＦ）モジュール１１６は、さらに処理されたダイバーシティ信号を送受信器１１２に供給する。ダイバーシティＲＦモジュール１１６（及び、いくつかの実装においては送受信器）は、制御器１２０によって制御される。いくつかの実装において、制御器１２０は、送受信器１１２内に実装することができる。
【００２７】
図３は、いくつかの実施形態において、ダイバーシティ受信器（ＤＲｘ）構成３００が、多重周波数帯域に対応する多重経路を備えたＤＲｘモジュール３１０を含み得ることを示す。ＤＲｘ構成３００は、ダイバーシティ信号を受信するべく構成されたダイバーシティアンテナ１４０を含む。いくつかの実装において、ダイバーシティ信号は、単一周波数帯域に変調されたデータを含む単一帯域信号とすることができる。いくつかの実装において、ダイバーシティ信号は、多重周波数帯域に変調されたデータを含む多重帯域信号（帯域間キャリアアグリゲーション信号とも称する）とすることができる。
【００２８】
ＤＲｘモジュール３１０は、ダイバーシティアンテナ１４０からのダイバーシティ信号を受信する入力と、処理されたダイバーシティ信号を送受信器３３０に（送信線１３５及びダイバーシティＲＦモジュール３２０を介して）与える出力とを有する。ＤＲｘモジュール３１０の入力は、第１マルチプレクサ（ＭＵＸ）３１１の入力に供給される。第１マルチプレクサ３１１は複数のマルチプレクサ出力を含む。各マルチプレクサ出力は、ＤＲｘモジュール３１０の入力及び出力間の経路に対応する。各経路は、各周波数帯域に対応し得る。ＤＲｘモジュール３１０の出力は、第２マルチプレクサ３１２の出力によって与えられる。第２マルチプレクサ３１２は複数のマルチプレクサ入力を含む。各マルチプレクサ入力は、ＤＲｘモジュール３１０の入力及び出力間の経路の一つに対応する。
【００２９】
周波数帯域は、ＵＭＴＳ（ユニバーサル移動体通信システム）周波数帯域のようなセルラー周波数帯域とすることができる。例えば、第１周波数帯域を１９３０メガヘルツ（ＭＨＺ）〜１９９０ＭＨｚのＵＭＴＳ（ユニバーサル移動体通信システム）ダウンリンク又は「Ｒｘ」帯域２とし、かつ、第２周波数帯域を８６９ＭＨｚ〜８９４ＭＨｚのＵＭＴＳダウンリンク又は「Ｒｘ」帯域５とすることができる。表１において以下に記載のもの又は他の非ＵＭＴＳ周波数帯域のような、他のダウンリンク周波数帯域も使用され得る。
【００３０】
いくつかの実装において、ＤＲｘモジュール３１０はＤＲｘ制御器３０２を含む。ＤＲｘ制御器３０２は、制御器１２０（通信制御器とも称する）から信号を受信し、当該受信信号に基づいて入力及び出力間の複数の経路の一以上を選択的にアクティブにする。いくつかの実装において、ＤＲｘモジュール３１０は、ＤＲｘ制御器３０２を含まずに制御器１２０が、複数の経路の一以上を直接、選択的にアクティブにする。
【００３１】
上述のように、いくつかの実装において、ダイバーシティ信号は単一帯域信号である。すなわち、いくつかの実装において、第１マルチプレクサ３１１は、単一帯域信号の周波数帯域に対応する複数の経路の一つへと、ＤＲｘ制御器３０２から受信した信号に基づいてダイバーシティ信号を引き回す単極／多投（ＳＰＭＴ）スイッチである。ＤＲｘ制御器３０２は、ＤＲｘ制御器３０２が通信制御器１２０から受信した帯域選択信号に基づいて信号を発生させることができる。同様に、いくつかの実装において、第２マルチプレクサ３１２は、ＤＲｘ制御器３０２から受信した信号に基づいて、単一帯域信号の周波数帯域に対応する複数の経路の一つからの信号を引き回すＳＰＭＴスイッチである。
【００３２】
上述のように、いくつかの実装において、ダイバーシティ信号は多重帯域信号である。すなわち、いくつかの実装において、第１マルチプレクサ３１１は、ＤＲｘ制御器３０２から受信した分割器制御信号に基づいて、多重帯域信号の２以上周波数帯域に対応する複数の経路の２以上にダイバーシティ信号を引き回す帯域分割器である。帯域分割器の機能は、ＳＰＭＴスイッチ、ダイプレクサフィルタ、又はこれらの何らかの組み合わせとして実装することができる。ダイプレクサは、ＤＲｘモジュール３１０の入力において受信した入力信号を分割して、複数の経路に沿って伝播する複数の周波数帯域それぞれの複数の信号にするべく構成されたトライプレクサ、クアッドプレクサ、又は任意の他のマルチプレクサに置換することができる。
【００３３】
同様に、いくつかの実装において、第２マルチプレクサ３１２は、多重帯域信号の２以上の周波数帯域に対応する複数の経路の２以上からの信号を、ＤＲｘ制御器３０２から受信した結合器制御信号に基づいて結合する帯域結合器である。帯域結合器の機能は、ＳＰＭＴスイッチ、ダイプレクサフィルタ、又はこれらの何らかの組み合わせとして実装することができる。ＤＲｘ制御器３０２は、ＤＲｘ制御器３０２が通信制御器１２０から受信した帯域選択信号に基づいて分割器制御信号及び結合器制御信号を発生させることができる。
【００３４】
すなわち、いくつかの実装において、ＤＲｘ制御器３０２は、ＤＲｘ制御器３０２が（例えば通信制御器１２０から）受信した帯域選択信号に基づいて、複数の経路の一以上を選択的にアクティブにするべく構成される。いくつかの実装において、ＤＲｘ制御器３０２は、帯域分割器に分割器制御信号を送信しかつ帯域結合器に結合器制御信号を送信することによって複数の経路の一以上を選択的にアクティブにするべく構成される。
【００３５】
ＤＲｘモジュール３１０は複数の帯域通過フィルタ３１３ａ〜３１３ｄを含む。帯域通過フィルタ３１３ａ〜３１３ｄの各一つは、複数の経路の一つの対応経路に沿って設けられ、かつ、帯域通過フィルタにおいて受信された信号を、当該複数の経路の当該一つの対応周波数帯域へとフィルタリングするべく構成される。いくつかの実装において、帯域通過フィルタ３１３ａ〜３１３ｄはさらに、帯域通過フィルタにおいて受信した信号を、当該複数の経路の当該一つの対応周波数帯域のダウンリンク周波数サブ帯域へとフィルタリングするべく構成される。ＤＲｘモジュール３１０は複数の増幅器３１４ａ〜３１４ｄを含む。増幅器３１４ａ〜３１４ｄの各一つは、複数の経路の一つの対応経路に沿って設けられ、かつ、当該増幅器において受信した信号を増幅するべく構成される。
【００３６】
いくつかの実装において、増幅器３１４ａ〜３１４ｄは、当該増幅器が設けられた経路の各周波数帯域内の信号を増幅するべく構成された狭帯域増幅器である。いくつかの実装において、増幅器３１４ａ〜３１４ｄは、ＤＲｘ制御器３０２によって制御可能である。例えば、いくつかの実装において、増幅器３１４ａ〜３１４ｄはそれぞれ、イネーブル／ディセーブル入力を含み、当該イネーブル／ディセーブル入力において受信した増幅器イネーブル信号に基づいてイネーブル（又はディセーブル）にされる。増幅器イネーブル信号は、ＤＲｘ制御器３０２によって送信することができる。すなわち、いくつかの実装において、ＤＲｘ制御器３０２は、複数の経路の一以上に沿ってそれぞれが設けられた増幅器３１４ａ〜３１４ｄの一以上に増幅器イネーブル信号を送信することにより、当該複数の経路の当該一以上を選択的にアクティブにするべく構成される。かかる実装においては、ＤＲｘ制御器３０２による制御というよりもむしろ、第１マルチプレクサ３１１を、ダイバーシティ信号を複数の経路のそれぞれに引き回す帯域分割器とし、第２マルチプレクサ３１２を、当該複数の経路のそれぞれからの信号を結合する帯域結合器とすることができる。しかしながら、ＤＲｘ制御器３０２が第１マルチプレクサ３１１及び第２マルチプレクサ３１２を制御する実装において、ＤＲＸ制御器３０２はまた、例えば電池を節約するべく特定の増幅器３１４ａ〜３１４ｄをイネーブル（又はディセーブル）にすることもできる。
【００３７】
いくつかの実装において、増幅器３１４ａ〜３１４ｄは可変利得増幅器（ＶＧＡ）である。すなわち、いくつかの実装において、ＤＲｘモジュール３１０は複数の可変利得増幅器（ＶＧＡ）を含み、ＶＧＡの各一つは、複数の経路の一つの対応経路に沿って設けられ、かつ、当該ＶＧＡにおいて受信した信号を、ＤＲｘ制御器３０２から受信した増幅器制御信号によって制御される利得によって増幅するべく構成される。
【００３８】
ＶＧＡの利得は、バイパス可能、ステップ可変、連続可変とすることができる。いくつかの実装において、ＶＧＡの少なくとも一つは、固定利得増幅器と、増幅器制御信号によって制御可能なバイパススイッチとを含む。バイパススイッチは（第１位置において）、固定利得増幅器の入力と当該固定利得増幅器の出力との間の線を閉とすることにより、信号が当該固定利得増幅器をバイパスするのを許容することができる。バイパススイッチは（第２位置において）入力及び出力間の線を開とすることにより、信号が固定利得増幅器を通過するようにできる。いくつかの実装において、バイパススイッチが第１位置にあると、固定利得増幅器はディセーブルにされ、又はバイパスモードに適合するべく再構成される。
【００３９】
いくつかの実装において、ＶＧＡの少なくとも一つは、当該ＶＧＡにおいて受信した信号を、増幅器制御信号が指示する複数の設定量の一つの利得によって増幅するべく構成されたステップ可変利得増幅器を含む。いくつかの実装において、ＶＧＡの少なくとも一つは、当該ＶＧＡにおいて受信した信号を増幅器制御信号に比例する利得によって増幅するべく構成された連続可変利得増幅器を含む。
【００４０】
いくつかの実装において、増幅器３１４ａ〜３１４ｄは可変電流増幅器（ＶＣＡ）である。ＶＣＡにより引き出される電流は、バイパス可能、ステップ可変、連続可変とすることができる。いくつかの実装において、ＶＣＡの少なくとも一つは、固定電流増幅器と、増幅器制御信号によって制御可能なバイパススイッチとを含む。バイパススイッチは（第１位置において）、固定電流増幅器の入力と当該固定電流増幅器の出力との間の線を閉とすることにより、信号が当該固定電流増幅器をバイパスするのを許容することができる。バイパススイッチは（第２位置において）入力及び出力間の線を開とすることにより、信号が固定電流増幅器を通過するようにできる。いくつかの実装において、バイパススイッチが第１位置にあると、固定電流増幅器はディセーブルにされ、又はバイパスモードに適合するべく再構成される。
【００４１】
いくつかの実装において、ＶＣＡの少なくとも一つは、当該ＶＣＡにおいて受信した信号を、増幅器制御信号が指示する複数の設定量の一つの電流を引き出すことによって増幅するべく構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するべく構成された連続可変電流増幅器を含む。
【００４２】
いくつかの実装において、増幅器３１４ａ〜３１４ｄは、固定利得、固定電流増幅器である。いくつかの実装において、増幅器３１４ａ〜３１４ｄは、固定利得、可変電流増幅器である。いくつかの実装において、増幅器３１４ａ〜３１４ｄは、可変利得、固定電流増幅器である。いくつかの実装において、増幅器３１４ａ〜３１４ｄは、可変利得、可変電流増幅器である。
【００４３】
いくつかの実装において、ＤＲｘ制御器３０２は、第１マルチプレクサの入力３１１において受信した入力信号のサービス品質メトリックに基づいて増幅器制御信号（複数可）を発生させる。いくつかの実装において、ＤＲｘ制御器３０２は、通信制御器１２０から受信した信号に基づいて増幅器制御信号（複数可）を発生させる。増幅器制御信号はさらに、受信信号のサービス品質（ＱｏＳ）メトリックに基づき得る。受信信号のＱｏＳメトリックは、少なくとも部分的には、ダイバーシティアンテナ１４０において受信したダイバーシティ信号（例えば入力において受信した入力信号）に基づき得る。受信信号のＱｏＳメトリックはさらに、一次アンテナにおいて受信した信号に基づき得る。いくつかの実装において、ＤＲｘ制御器３０２は、通信制御器１２０から信号を受信することなく、ダイバーシティ信号のＱｏＳメトリックに基づいて増幅器制御信号（複数可）を発生させる。
【００４４】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【００４５】
上述のように、ＤＲｘモジュール３１０は、ダイバーシティアンテナ１４０からのダイバーシティ信号を受信する入力と、処理されたダイバーシティ信号を送受信器３３０に（送信線１３５及びダイバーシティＲＦモジュール３２０を介して）与える出力とを有する。ダイバーシティＲＦモジュール３２０は、処理されたダイバーシティ信号を、送信線１３５を介して受信してさらなる処理を行う。特に、処理されたダイバーシティ信号は、ダイバーシティＲＦマルチプレクサ３２１（下流側マルチプレクサとも称する）によって一以上の経路へと分割され又は引き回される。当該経路において、分割され又は引き回された信号は、対応する帯域通過フィルタ３２３ａ〜３２３ｄ（下流側帯域通過フィルタとも称する）によるフィルタリングを受け、対応する増幅器３２４ａ〜３２４ｄ（下流側増幅器とも称する）によって増幅される。増幅器３２４ａ〜３２４ｄそれぞれの出力は、送受信器３３０に与えられる。
【００４６】
ダイバーシティＲＦマルチプレクサ３２１は、経路の一以上を選択的にアクティブにするべく制御器１２０によって（直接的に又はオンチップダイバーシティＲＦ制御器を介してのいずれかによって）制御することができる。同様に、増幅器３２４ａ〜３２４ｄも制御器１２０によって制御され得る。例えば、いくつかの実装において、増幅器３２４ａ〜３２４ｄのそれぞれは、イネーブル／ディセーブル入力を含み、増幅器イネーブル信号に基づいてイネーブル（又はディセーブル）にされる。いくつかの実装において、増幅器３２４ａ〜３２４ｄは可変利得増幅器（ＶＧＡ）である。ＶＧＡは、当該ＶＧＡにおいて受信した信号を、制御器１２０（又は制御器１２０が制御するオンチップダイバーシティＲＦ制御器）から受信した増幅器制御信号が制御する利得によって増幅する。いくつかの実装において、増幅器３２４ａ〜３２４ｄは可変電流増幅器（ＶＣＡ）である。
【００４７】
すでにダイバーシティＲＦモジュール３２０を含んだ受信器チェーンにＤＲｘモジュール３１０を追加することにより、ＤＲｘ構成３００における帯域通過フィルタの数は２倍となる。すなわち、いくつかの実装において、以下にさらに詳述されるように、帯域通過フィルタ３２３ａ〜３２３ｄは、ダイバーシティＲＦモジュール３２０には含まれない。いくつかの実装において、（例えば図４Ａ及び４Ｂを参照して以下に詳述される）帯域通過フィルタ３２３ａ〜３２３ｄは、ＤＲｘモジュール３１０へと再配置される。いくつかの実装において、ＤＲｘモジュール３１０の帯域通過フィルタ３１３ａ〜３１３ｄは、帯域外ブロッカーの強度を低減するべく単独で使用される。さらに、ダイバーシティＲＦモジュール３２０の自動利得制御（ＡＧＣ）テーブルをシフトして、ダイバーシティＲＦモジュール３２０の増幅器３２４ａ〜３２４ｄが与える利得量を、ＤＲｘモジュール３１０の増幅器３１４ａ〜３１４ｄが与える利得量だけ低減することができる。
【００４８】
例えば、ＤＲｘモジュール利得が１５ｄＢでありかつ受信器感度が−１００ｄＢｍの場合、ダイバーシティＲＦモジュール３２０は−８５ｄＢｍの感度となる。ダイバーシティＲＦモジュール３２０の閉ループＡＧＣがアクティブになると、その利得は自動的に１５ｄＢだけ降下する。しかしながら、信号部品及び帯域外ブロッカーの双方が受信されて１５ｄＢだけ増幅される。すなわち、いくつかの実装において、ダイバーシティＲＦモジュール３２０の１５ｄＢ利得降下には、その線形性の１５ｄＢ上昇も付随し得る。特に、ダイバーシティＲＦモジュール３２０の増幅器３２４ａ〜３２４ｄは、当該増幅器の線形性が、利得低減（又は電流増加）に伴い増加するように設計され得る。
【００４９】
いくつかの実装において、制御器１２０は、ＤＲｘモジュール３１０の増幅器３１４ａ〜３１４ｄとダイバーシティＲＦモジュール３２０の増幅器３２４ａ〜３２４ｄとの利得（及び／又は電流）を制御する。上記例においてのように、制御器１２０は、ＤＲｘモジュール３１０の増幅器３１４ａ〜３１４ｄが与える一定量の利得が増加することに応答して、ダイバーシティＲＦモジュール３２０の増幅器３２４ａ〜３２４ｄが与える一定量の利得を低減することができる。すなわち、いくつかの実装において、制御器１２０は、（ダイバーシティＲＦモジュール３２０の増幅器３２４ａ〜３２４ｄのための）下流側増幅器制御信号を（ＤＲｘモジュール３１０の増幅器３１４ａ〜３１４ｄのための）増幅器制御信号に基づいて発生させ、かつ、送信線１３５を介して（ＤＲｘモジュール３１０の）出力に結合された一以上の下流側増幅器３２４ａ〜３２４ｄの利得を制御するべく構成される。いくつかの実装において、制御器１２０はまた、一次フロントエンドモジュール（ＦＥＭ）における増幅器のような、無線デバイスの他の部品の利得も増幅器制御信号に基づいて制御する。
【００５０】
上述のように、いくつかの実装において、帯域通過フィルタ３２３ａ〜３２３ｄは含まれない。すなわち、いくつかの実装において、下流側増幅器３２４ａ〜３２４ｄの少なくとも一つは、下流側帯域通過フィルタを通過することなく、送信線１３５を介して（ＤＲｘモジュール３１０の）出力に結合される。
【００５１】
図４Ａは、いくつかの実施形態において、ダイバーシティ受信器構成４００が、複数の増幅器３１４ａ〜３１４ｄの出力に設けられた複数の帯域通過フィルタ４２３ａ〜４２３ｄを有するダイバーシティ受信器（ＤＲｘ）モジュール４１０を含み得ることを示す。ダイバーシティ受信器構成４００は、入力がアンテナ１４０に結合されかつ出力が送信線１３５に結合されたＤＲｘモジュール４１０を含む。ＤＲｘモジュール４１０は、ＤＲｘモジュール４１０の入力及び出力間に一定数の経路を含む。各経路は、入力マルチプレクサ３１１、増幅器前段帯域通過フィルタ４１３ａ〜４１３ｄ、増幅器３１４ａ〜３１４ｄ、増幅器後段帯域通過フィルタ４２３ａ〜４２３ｄ及び出力マルチプレクサ３１２を含む。
【００５２】
ＤＲｘ制御器３０２は、入力及び出力間の複数の経路の一以上を選択的にアクティブにするべく構成される。いくつかの実装において、ＤＲｘ制御器３０２は、ＤＲｘ制御器３０２から（例えば通信制御器から）受信した帯域選択信号に基づいて、複数の経路の一以上を選択的にアクティブにするべく構成される。ＤＲｘ制御器３０２は、例えば、上述のような増幅器３１４ａ〜３１４ｄのイネーブル又はディセーブルにより、マルチプレクサ３１１、３１２の制御により、又は他のメカニズムを介して当該経路を選択的にアクティブにすることができる。
【００５３】
ＤＲｘモジュール４１０の出力が、送信線１３５を介してダイバーシティＲＦモジュール４２０へと通過する。ダイバーシティＲＦモジュール４２０は、図４ＡのダイバーシティＲＦモジュール４２０が下流側帯域通過フィルタを含まない点で図３ＡのダイバーシティＲＦモジュール３２０とは異なる。いくつかの実装において（例えば図４Ａに示されるように）、下流側マルチプレクサ３２１は、サンプルスイッチとして実装することができる。
【００５４】
増幅器後段帯域通過フィルタ４２３ａ〜４２３ｄを、ダイバーシティＲＦモジュール４２０ではなくＤＲｘモジュール４１０の中に含めることは、一定数の利点をもたらし得る。例えば、以下に詳述されるように、かかる構成は、ＤＲｘモジュール４１０の雑音指数を改善し、フィルタ設計を簡略化し、及び／又は経路隔離を改善する。
【００５５】
ＤＲｘモジュール４１０の各経路は、雑音指数によって特徴付けることができる。各経路の雑音指数は、経路に沿った伝播が引き起こす信号対雑音比（ＳＮＲ）劣化の表現である。特に、各経路の雑音指数は、増幅器前段帯域通過フィルタ４１３ａ〜４１３ｄの入力におけるＳＮＲと増幅器後段帯域通過フィルタ４２３ａ〜４２３４ｂの出力におけるＳＮＲとのデシベル（ｄＢ）差として表現することができる。各経路の雑音指数は、異なる周波数帯域に対して異なり得る。例えば、第１経路は、第１周波数帯域に対する帯域内雑音指数と、第２周波数帯域に対する帯域外雑音指数とを有し得る。同様に、第２経路は、第２周波数帯域に対する帯域内雑音指数と、第１周波数帯域に対する帯域外雑音指数とを有し得る。
【００５６】
ＤＲｘモジュール４１０はまた、異なる周波数帯域に対して異なり得る雑音指数によって特徴付けることができる。特に、ＤＲｘモジュール４１０の雑音指数は、ＤＲｘモジュール４１０の入力におけるＳＮＲとＤＲｘモジュール４１０の出力におけるＳＮＲとのｄＢ差である。
【００５７】
２つの経路に沿って伝播する信号は出力マルチプレクサ３１２によって結合されるので、増幅器が生成又は増幅する帯域外雑音は、結合された信号に負の影響を与え得る。例えば、第１増幅器３１４ａが生成又は増幅する帯域外雑音は、第２周波数におけるＤＲｘモジュール４１０の雑音指数を増加させ得る。すなわち、当該経路に沿って設けられた増幅器後段帯域通過フィルタ４２３ａは、この帯域外雑音を低減し、かつ、第２周波数におけるＤＲｘモジュール４１０の雑音指数を低下させることができる。
【００５８】
いくつかの実装において、増幅器前段帯域通過フィルタ４１３ａ〜４１３ｄと増幅器後段帯域通過フィルタ４２３ａ〜４２３ｄとは相補的に設計することができるので、低コストで少ない部品によりフィルタ設計が簡略化され及び／又は同様の性能が達成される。例えば、第１経路に沿って設けられた増幅器後段帯域通過フィルタ４２３ａは、第１経路に沿って設けられた増幅器前段帯域通過フィルタ４１３ａによる減衰が弱い周波数を強く減衰させることができる。一例では、増幅器前段帯域通過フィルタ４１３ａは、第１周波数帯域を上回る周波数よりも第１周波数帯域を下回る周波数の方を減衰させる。それとは相補的に、増幅器後段帯域通過フィルタ４２３ａは、第１周波数帯域を下回る周波数よりも第１周波数帯域を上回る周波数の方を減衰させることができる。すなわち、増幅器前段帯域通過フィルタ４１３ａ及び増幅器後段帯域通過フィルタ４２３ａは一緒になって、少ない部品を使用してすべての帯域外周波数を減衰させる。一般に、一経路に沿って設けられた帯域通過フィルタの一つが、当該経路の各周波数帯域を下回る周波数を、各周波数帯域を上回る周波数よりも減衰させることができ、かつ、当該経路に沿って設けられた帯域通過フィルタの他の一つが、各周波数帯域を上回る周波数を、各周波数帯域を下回る周波数よりも減衰させることができる。増幅器前段帯域通過フィルタ４１３ａ〜４１３ｄ及び増幅器後段帯域通過フィルタ４２３ａ〜４２３ｄは、他の態様で相補的にすることもできる。例えば、第１経路に沿って設けられた増幅器前段帯域通過フィルタ４１３ａが一信号を一定の度数だけ位相シフトすることができ、かつ、当該第１経路に沿って設けられた増幅器後段帯域通過フィルタ４２３ａが当該信号を当該度数だけ逆に位相シフトすることができる。
【００５９】
いくつかの実装において、増幅器後段帯域通過フィルタ４２３ａ〜４２３ｄは、経路の隔離を改善することができる。例えば、増幅器後段帯域通過フィルタがなければ、第１経路に沿って伝播する信号は、増幅器前段帯域通過フィルタ４１３ａによって第１周波数へとフィルタリングし、かつ、増幅器３１４ａによって増幅することができる。当該信号は、出力マルチプレクサ３１２を介して漏洩する結果、第２経路に沿って逆方向に伝播し、第２経路に沿って設けられた増幅器３１４ｂ、増幅器前段帯域通過フィルタ４１３ｂ又は他の部品から反射され得る。この反射信号が初期信号と異相の場合、当該信号は、出力マルチプレクサ３１２によって結合されるときに弱められる。これとは対照的に、増幅器後段帯域通過フィルタによれば、（主に第１周波数帯域における）漏洩信号は、第２経路に沿って設けられかつ第２周波数帯域に関連付けられた増幅器後段帯域通過フィルタ４２３ｂによって減衰されるので、任意の反射信号の影響が低減される。
【００６０】
すなわち、ＤＲｘモジュール４１０は、第１マルチプレクサの入力（例えば入力マルチプレクサ３１１）と第２マルチプレクサの出力（例えば出力マルチプレクサ３１２）との間にある複数の経路の一以上を選択的にアクティブにするべく構成された制御器を含む。ＤＲｘモジュール４１０はさらに、複数の増幅器３１４ａ〜３１４ｄを含む。複数の増幅器３１４ａ〜３１４ｄの各一つは、複数の経路の一つの対応経路に沿って設けられ、かつ、当該増幅器において受信した信号を増幅するべく構成される。ＤＲｘモジュール４１０は第１の複数帯域通過フィルタ（例えば増幅器後段帯域通過フィルタ４２３ａ〜４２３ｄ）を含む。第１の複数帯域通過フィルタの各一つは、複数の経路の一つの対応経路に沿って複数の増幅器３１４ａ〜３１４ｄの一つの対応増幅器の出力に設けられ、かつ、当該帯域通過フィルタにおいて受信した信号を各周波数帯域へとフィルタリングするべく構成される。図４Ａに示されるように、いくつかの実装において、ＤＲｘモジュール４１０はさらに第２の複数帯域通過フィルタ（例えば増幅器前段帯域通過フィルタ４１３ａ〜４１３ｄ）を含む。第２の複数帯域通過フィルタの各一つは、複数の経路の一つの対応経路に沿って複数の増幅器３１４ａ〜３１４ｄの一つの対応増幅器の入力に設けられ、かつ、当該帯域通過フィルタにおいて受信した信号を各周波数帯域へとフィルタリングするべく構成される。
【００６１】
図４Ｂは、いくつかの実施形態において、ダイバーシティ受信器構成４５０が、ダイバーシティ受信器（ＤＲｘ）モジュール４１０よりも少ない増幅器を備えたダイバーシティＲＦモジュール４６０を含み得ることを示す。上述のように、いくつかの実装において、ダイバーシティＲＦモジュール４６０は帯域通過フィルタを含まない。すなわち、いくつかの実装において、ダイバーシティＲＦモジュール４６０の一以上の増幅器４２４は帯域固有とする必要がない。特に、ダイバーシティＲＦモジュール４６０は一以上の経路を含み得る。各経路は、ＤＲｘモジュール４１０の経路に一対一でマッピングされない増幅器４２４を含む。かかる経路（又は対応する増幅器）のマッピングは、制御器１２０に記憶することができる。
【００６２】
したがって、ＤＲｘモジュール４１０が、それぞれが一周波数帯域に対応する一定数の経路を含む一方、ダイバーシティＲＦモジュール４６０は、単一周波数帯域に対応しない（ダイバーシティＲＦモジュール４６０の入力からマルチプレクサ３２１の入力までの）一以上の経路を含み得る。
【００６３】
いくつかの実装において（図４Ｂに示されるように）、ダイバーシティＲＦモジュール４６０は、送信線１３５から受信した信号を増幅して増幅済み信号をマルチプレクサ３２１に出力する単一広帯域又はチューニング可能増幅器４２４を含む。マルチプレクサ３２１は、それぞれが各周波数帯域に対応する複数のマルチプレクサ出力を含む。いくつかの実装において、マルチプレクサ３２１は、サンプルスイッチとして実装することができる。いくつかの実装において、ダイバーシティＲＦモジュール４６０はいずれの増幅器も含まない。
【００６４】
いくつかの実装において、ダイバーシティ信号は単一帯域信号である。すなわち、いくつかの実装において、第１マルチプレクサ３１１は、単一帯域信号の周波数帯域に対応する複数の出力の一つへと、ＤＲｘ制御器３０２から受信した信号に基づきダイバーシティ信号を引き回す単極／多投（ＳＰＭＴ）スイッチである。いくつかの実装において、ダイバーシティ信号は多重帯域信号である。すなわち、いくつかの実装において、マルチプレクサ４２１は、制御器１２０から受信した分割器制御信号に基づいてダイバーシティ信号を、複数の出力の、多重帯域信号の２以上の周波数帯域に対応する２以上へと引き回す帯域分割器である。いくつかの実装において、ダイバーシティＲＦモジュール４６０は、単一モジュールとして送受信器３３０と組み合わせることができる。
【００６５】
いくつかの実装において、ダイバーシティＲＦモジュール４６０は、それぞれが一組の周波数帯域に対応する多重増幅器を含む。送信線１３５からの信号は、第１経路に沿って高周波増幅器に高周波を出力しかつ第２経路に沿って低周波増幅器に低周波を出力する帯域分割器へと供給することができる。各増幅器の出力は、当該信号を送受信器３３０の対応入力へと引き回すべく構成されたマルチプレクサ３２１へと与えることができる。
【００６６】
図５は、いくつかの実施形態において、ダイバーシティ受信器構成５００が、一以上のオフモジュールフィルタ５１３、５２３に結合されたＤＲｘモジュール５１０を含み得ることを示す。ＤＲｘモジュール５１０は、複数の部品を受容するべく構成されたパッケージング基板５０１と、パッケージング基板５０１に実装された受信システムとを含み得る。ＤＲｘモジュール５１０は、ＤＲｘモジュール５１０から出るように引き回されて任意の所望帯域のためのフィルタをサポートするシステムインテグレータ、設計者又は製造者にとって利用可能とされた一以上の信号経路を含み得る。
【００６７】
ＤＲｘモジュール５１０は、ＤＲｘモジュール５１０の入力及び出力間に一定数の経路を含む。ＤＲｘモジュール５１０は、ＤＲｘ制御器５０２が制御するバイパススイッチ５１９によってアクティブにされる入力及び出力間のバイパス経路を含む。図５が単一のバイパススイッチ５１９を例示するにもかかわらず、いくつかの実装において、バイパススイッチ５１９は、多重スイッチ（例えば、入力の物理的近くに設けられた第１スイッチ、及び出力の物理的近くに設けられた第２スイッチ）を含み得る。図５に示されるように、バイパス経路は、フィルタ又は増幅器を含まない。
【００６８】
ＤＲｘモジュール５１０は、第１マルチプレクサ５１１及び第２マルチプレクサ５１２を含む一定数のマルチプレクサ経路を含む。マルチプレクサ経路は、一定数のオンモジュール経路を含む。これは、第１マルチプレクサ５１１、パッケージング基板５０１に実装された増幅器前段帯域通過フィルタ４１３ａ〜４１３ｄ、パッケージング基板５０１に実装された増幅器３１４ａ〜３１４ｄ、パッケージング基板５０１に実装された増幅器後段帯域通過フィルタ４２３ａ〜４２３ｄ、及び第２マルチプレクサ５１２を含む。マルチプレクサ経路は一以上のオフモジュール経路を含む。これは、第１マルチプレクサ５１１、パッケージング基板５０１の外に実装された増幅器前段帯域通過フィルタ５１３、増幅器５１４、パッケージング基板５０１の外に実装された増幅器後段帯域通過フィルタ５２３、及び第２マルチプレクサ５１２を含む。増幅器５１４は、パッケージング基板５０１に実装された広帯域増幅器とすることができ、又はパッケージング基板５０１の外に実装することもできる。いくつかの実装において、一以上のオフモジュール経路は、増幅器前段帯域通過フィルタ５１３は含まないが、増幅器後段帯域通過フィルタ５２３を含む。上述のように、増幅器３１４ａ〜３１４ｄ、５１４は、可変利得増幅器及び／又は可変電流増幅器とすることができる。
【００６９】
ＤＲｘ制御器５０２は、入力及び出力間の複数の経路の一以上を選択的にアクティブにするべく構成される。いくつかの実装において、ＤＲｘ制御器５０２は、ＤＲｘ制御器５０２が（例えば通信制御器から）受信した帯域選択信号に基づき複数の経路の一以上を選択的にアクティブにするべく構成される。ＤＲｘ制御器５０２は、例えば、バイパススイッチ５１９の開閉により、増幅器３１４ａ〜３１４ｄ、５１４のイネーブル又はディセーブルにより、マルチプレクサ５１１、５１２の制御により、又は他のメカニズムを介して当該経路を選択的にアクティブにすることができる。例えば、ＤＲｘ制御器５０２は、（例えば、フィルタ３１３ａ〜３１３ｄ、５１３と増幅器３１４ａ〜３１４ｄ、５１４との間の）経路沿いのスイッチを開閉すること、又は増幅器３１４ａ〜３１４ｄ、５１４の利得を実質的にゼロに設定することができる。
【００７０】
図６は、いくつかの実施形態において、ダイバーシティ受信器構成６００が、チューニング可能整合回路を備えたＤＲｘモジュール６１０を含み得ることを示す。特に、ＤＲｘモジュール６１０は、ＤＲｘモジュール６１０の入力及び出力の一以上に設けられた一以上のチューニング可能整合回路を含み得る。
【００７１】
同じダイバーシティアンテナ１４０において受信した多重周波数帯域のすべてが理想的なインピーダンス整合である可能性は低い。コンパクト整合回路を使用して各周波数帯域を整合させるべく、チューニング可能入力整合回路６１６をＤＲｘモジュール６１０の入力に実装して（例えば通信制御器からの帯域選択信号に基づき）ＤＲｘ制御器６０２によって制御することができる。ＤＲｘ制御器６０２は、チューニング可能入力整合回路６１６を、複数の周波数帯域（又は複数組の周波数帯域）をチューニングパラメータに関連付けるルックアップテーブルに基づいてチューニングすることができる。チューニング可能入力整合回路６１６は、チューニング可能Ｔ型回路、チューニング可能π型回路又は任意の他のチューニング可能整合回路とすることができる。特に、チューニング可能入力整合回路６１６は、抵抗器、インダクタ及びキャパシタのような一以上の可変部品を含み得る。これらの可変部品は、並列及び／又は直列に接続してＤＲｘモジュール６１０の入力と第１マルチプレクサ３１１の入力との間に接続し又はＤＲｘモジュール６１０の入力と接地電圧との間に接続することができる。
【００７２】
同様に、多くの周波数帯域の信号を搬送する一つのみの送信線１３５（又は少なくともいくつかのケーブル）によっては、多重周波数帯域すべてが理想的なインピーダンス整合となる可能性は低い。コンパクト整合回路を使用して各周波数帯域を整合させるべく、チューニング可能出力整合回路６１７をＤＲｘモジュール６１０の出力に実装して（例えば通信制御器からの帯域選択信号に基づき）ＤＲｘ制御器６０２によって制御することができる。ＤＲｘ制御器６０２は、チューニング可能出力整合回路６１８を、複数の周波数帯域（又は複数組の周波数帯域）をチューニングパラメータに関連付けるルックアップテーブルに基づいてチューニングすることができる。チューニング可能出力整合回路６１７は、チューニング可能Ｔ型回路、チューニング可能π型回路、又は任意の他のチューニング可能整合回路とすることができる。特に、チューニング可能出力整合回路６１７は、抵抗器、インダクタ及びキャパシタのような一以上の可変部品を含み得る。これらの可変部品は、並列及び／又は直列に接続してＤＲｘモジュール６１０の出力と第２マルチプレクサ３１２の出力との間に接続し又はＤＲｘモジュール６１０の出力と接地電圧との間に接続することができる。
【００７３】
図７は、いくつかの実施形態において、ダイバーシティ受信器構成（例えば図３、４Ａ、４Ｂ、５及び６に示されるもの）のいくつか又はすべてが、一モジュールに全体的に又は部分的に実装可能であることを示す。かかるモジュールは、例えばフロントエンドモジュール（ＦＥＭ）とすることができる。かかるモジュールは、例えばダイバーシティ受信器（ＤＲｘ）ＦＥＭとすることができる。図７の例において、モジュール７００はパッケージング基板７０２を含み得る。かかるパッケージング基板７０２には一定数の部品が搭載され得る。例えば、（フロントエンド電力管理集積回路［ＦＥ−ＰＩＭＣ］を含み得る）制御器７０４、（一以上の可変利得増幅器を含み得る）低雑音増幅器アセンブリ７０６、（一以上のチューニング可能整合回路を含み得る）整合部品７０８、マルチプレクサアセンブリ７１０、及び（一以上の増幅器前段フィルタ７１３及び／又は一以上の増幅器後段帯域通過フィルタ７２３を含み得る）フィルタバンク７１２を、パッケージング基板７０２上に及び／又はパッケージング基板７０２内に搭載及び／又は実装可能である。一定数のＳＭＴデバイス７１４のような他の部品もまた、パッケージング基板７０２に搭載することができる。様々な部品のすべてがパッケージング基板７０２上にレイアウトされるように描かれるにもかかわらず、何らかの部品（複数可）が、他の部品（複数可）の上に実装できることが理解される。
【００７４】
いくつかの実装において、ここに記載される一以上の特徴を有するデバイス及び／又は回路は、無線デバイスのようなＲＦ電子デバイスに含まれ得る。かかるデバイス及び／又は回路は、無線デバイスに直接、ここに記載されるモジュラー形態で、又はこれらの何らかの組み合わせで実装可能である。いくつかの実施形態において、かかる無線デバイスは、例えば、セルラー電話、スマートフォン、電話機能あり又はなしのハンドヘルド無線デバイス、無線タブレット等を含み得る。
【００７５】
図８は、ここに記載される一以上の有利な特徴を有する代表的な無線デバイス８００を描く。ここに記載される一以上の特徴を有する一以上のモジュールの文脈において、かかるモジュールは一般に、破線枠８０１（例えばフロントエンドモジュールとして実装可能）、ダイバーシティＲＦモジュール８１１（例えば下流側モジュールとして実装可能）、及びダイバーシティ受信器（ＤＲｘ）モジュール７００（例えばフロントエンドモジュールとして実装可能）によって描くことができる。
【００７６】
図８を参照すると、電力増幅器（ＰＡ）８２０は、その各ＲＦ信号を、増幅及び送信対象のＲＦ信号を周知の態様で発生させるべく構成かつ動作可能な送受信器８１０から受信し、受信信号を処理することができる。送受信器８１０は、ユーザに適したデータ及び／又は音声信号と送受信器８１０に適したＲＦ信号との間の変換を与えるべく構成されたベース帯域サブシステム８０８と相互作用をするように示される。送受信器８１０はまた、無線デバイス８００の動作のために電力を管理するべく構成された電力管理部品８０６と通信することもできる。かかる電力管理はまた、ベース帯域サブシステム８０８並びにモジュール８０１、８１１及び９００の動作を制御することもできる。
【００７７】
ベース帯域サブシステム８０８は、ユーザに与えられ及びユーザから受けた音声及び／又はデータの様々な入出力を容易にするべく、ユーザインタフェイス８０２に接続されるように示される。ベース帯域サブシステム８０８はまた、無線デバイスの動作を容易にする及び／又はユーザのための情報記憶を与えるデータ及び／又は命令を記憶するべく構成されたメモリ８０４に接続することもできる。
【００７８】
代表的な無線デバイス８００において、ＰＡ８２０の出力は、（対応整合回路８２２を介して）対応デュプレクサ８２４に整合され及び引き回されるように示される。かかる増幅されかつフィルタリングを受けた信号は、送信を目的としてアンテナスイッチ８１４を介して一次アンテナ８１６へと引き回すことができる。いくつかの実施形態において、デュプレクサ８２４により、共通アンテナ（例えば一次アンテナ８１６）を使用して送受信動作を同時に行うことができる。図８において、受信された信号は、例えば低雑音増幅器（ＬＮＡ）を含み得る「Ｒｘ」経路へと引き回されるように示される。
【００７９】
無線デバイスはまた、ダイバーシティアンテナ８２６と、ダイバーシティアンテナ８２６から信号を受信するダイバーシティ受信器モジュール７００とを含む。ダイバーシティ受信器モジュール７００は、受信信号を処理し、処理された信号を、送信線８３５を介してダイバーシティＲＦモジュール８１１へと送信する。ダイバーシティＲＦモジュール８１１は、当該信号をさらに処理した後に送受信器８１０に供給する。
【００８０】
本開示の一以上の特徴には、ここに記載される様々なセルラー周波数帯域を実装することができる。かかる帯域の例が表１に列挙される。理解されることだが、帯域の少なくともいくつかは、サブ帯域に分割することができる。またも理解されることだが、本開示の一以上の特徴は、表１の例のような指示を有しない周波数範囲も実装することができる。
【表１】
0006280905.tif 000002
【００８１】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【００８２】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【００８３】
ここに与えられた本発明の教示は、必ずしも上述のシステムに限られることがなく、他のシステムにも適用することができる。上述の様々な実施形態要素及び行為は、さらなる実施形態を与えるべく組み合わせることができる。
【００８４】
本発明のいくつかの実施形態が記載されたが、これらの実施形態は、例のみとして提示されており、本開示の範囲を制限することを意図しない。実際、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
0006280905.tif 000003
【図２】
0006280905.tif 000004
【図３】
0006280905.tif 000005
【図４Ａ】
0006280905.tif 000006
【図４Ｂ】
0006280905.tif 000007
【図５】
0006280905.tif 000008
【図６】
0006280905.tif 000009
【図７】
0006280905.tif 000010
【図８】
0006280905.tif 000011